(57)【要約】【課題】  耐衝撃性の高い中吊り広告用情報表示装置を提供する。【解決手段】  第１基板１１上に、ＩＴＯ膜１２、発光層１３、電極１４を形成し、さらに、対向基板としての第２基板１６と貼り合わせて有機ＥＬディスプレイ１０を形成する。そして、有機ＥＬディスプレイ１０の周縁部１０ａに、衝撃を吸収することができる外枠１７を貼り付けて、表示ユニット１９を形成する。外枠１７の長さは、有機ＥＬディスプレイ１０の左右２辺と下辺との合計長さとほぼ同じである。表示ユニット１９に駆動ユニット２０を取り付けて中吊り広告用情報表示装置１とする。【選択図】      図１
2006267159.tif 000002
【特許請求の範囲】
【請求項１】
中吊り広告用情報表示装置であって、
情報を表示するための表示部と、
前記表示部に備えられた外枠と、
を有することを特徴とする中吊り広告用情報表示装置。
【請求項２】
請求項１に記載の中吊り広告用情報表示装置において、
前記外枠の内周に凹部を備えており、前記表示部と前記凹部とが嵌合していることを特徴とする中吊り広告用情報表示装置。
【請求項３】
請求項１または請求項２に記載の中吊り広告用情報表示装置において、
前記外枠が、前記表示部の少なくとも下辺を含む周縁部に備えられていることを特徴とする中吊り広告用情報表示装置。
【請求項４】
請求項１〜請求項３のいずれか一項に記載の中吊り広告用情報表示装置において、
前記外枠が、前記表示部の側辺の周縁部に備えられていることを特徴とする中吊り広告用情報表示装置。
【請求項５】
請求項１〜請求項４のいずれか一項に記載の中吊り広告用情報表示装置において、
前記外枠が、衝撃吸収材であることを特徴とする中吊り広告用情報表示装置。
【発明の詳細な説明】
【技術分野】
【０００１】
本発明は、中吊り広告用情報表示装置に関する。
【背景技術】
【０００２】
従来の広告媒体は、紙に印刷されたポスタやＰＯＰ広告などが壁や塀などに設置されるものや、中吊り広告などが電車やバスなどの中に設置されるものがあった。特に、電車やバスなどの交通機関は利用する人が多いので、中吊り広告による車内広告は宣伝効果が高い。しかし、紙による広告媒体では、広告内容を簡単に変更できないので、情報を提供するのに限界がある。そこで、宣伝効果を高めるために、簡単に広告内容を変更できて、大量の情報を短時間のうちに表示可能な有機ＥＬディスプレイが、電車やバスなどの車内の中吊り広告用情報表示装置に採用されていた。なお、情報表示が可能な他のディスプレイとしては、ガス放電ディスプレイ、液晶ディスプレイなどもあった。
【０００３】
例えば、特許文献１に開示されているように、薄くてフレキシビリティがあり、しかも、軽量であるプラスチックフィルム上に発光素子を形成した有機ＥＬディスプレイを採用している中吊り広告用情報表示装置が提案されていた。特許文献２に開示されているように、ガス放電ディスプレイ、液晶ディスプレイなどを使用した中吊り広告用情報表示装置も提案されていた。
【０００４】
【特許文献１】特開２００２−３５１３７４号公報
【特許文献２】特開平５−２５７４２８号公報
【発明の開示】
【発明が解決しようとする課題】
【０００５】
ところが、中吊り広告用情報表示装置が、人が行き交う場所や、集中する場所に設置されていたため、人や物とぶつかる可能性があった。その際、有機ＥＬディスプレイに衝撃力が加わり、発光素子が破壊されることがあり、欠陥が生じることがあった。つまり、衝撃に対して弱いといった課題があった。特許文献２では、有機ＥＬディスプレイは、ガス放電ディスプレイ、液晶ディスプレイなどと比べて重量が軽いものの、天井から落下すると落下時の衝撃によって、破損することもあった。
【０００６】
本発明の目的は、耐衝撃性の高い中吊り広告用情報表示装置を提供することである。
【課題を解決するための手段】
【０００７】
本発明の中吊り広告用情報表示装置は、中吊り広告用情報表示装置であって、情報を表示するための表示部と、前記表示部に備えられた外枠と、を有することを特徴とする。
【０００８】
この発明によれば、外枠が、表示部に備えられているから、中吊り広告用情報表示装置が落下しても表示部を保護することができる。人や物とぶつかるときに衝撃力が発生しても表示部を保護できる。
【０００９】
本発明の中吊り広告用情報表示装置は、前記外枠の内周に凹部を備えており、前記表示部と前記凹部とが嵌合していることが望ましい。
【００１０】
この発明によれば、外枠の内周に凹部を備えているので、表示部の周縁部を凹部に挿入するだけで簡単に取り付けができる。表示部の外周縁部を保護できる。
【００１１】
本発明の中吊り広告用情報表示装置は、前記外枠が、前記表示部の少なくとも下辺を含む周縁部に備えられていることが望ましい。
【００１２】
この発明によれば、外枠が、吊り下げ状態の表示部の下辺に備えられているので、表示部が落下したときに下辺が保護されやすい。
【００１３】
本発明の中吊り広告用情報表示装置は、前記外枠が、前記表示部の側辺の周縁部に備えられていることが望ましい。
【００１４】
この発明によれば、外枠が、吊り下げ状態の表示部の側辺に備えられているので、表示部が落下したときに側辺が保護されやすい。
【００１５】
本発明の中吊り広告用情報表示装置は、前記外枠が、衝撃吸収材であることが望ましい。
【００１６】
この発明によれば、外枠が衝撃吸収材であるから、表示部が落下したときに、表示部に衝撃力や外力が加わっても衝撃を吸収することができるから、表示部を保護できるので、中吊り広告用情報表示装置の耐衝撃性が向上する。
【発明を実施するための最良の形態】
【００１７】
以下、本発明の中吊り広告用情報表示装置、及び中吊り広告用情報表示装置の製造方法について実施形態を挙げ、添付図面に沿って詳細に説明する。
【００１８】
（実施形態）
（中吊り広告用情報表示装置の構成）
本発明の実施形態の要部について詳細に説明する。図１は、本実施形態の中吊り広告用情報表示装置の構成を示し、（ａ）は概略斜視図であり、（ｂ）は概略断面図であり、（ｃ）は外枠の概略断面図である。
【００１９】
図１（ａ）に示すように、中吊り広告用情報表示装置１は、表示ユニット１９、駆動ユニット２０とで構成されている。表示ユニット１９は、有機ＥＬディスプレイ１０と外枠１７とで構成されており、なお、外枠１７は、有機ＥＬディスプレイ１０の外周に沿って周縁部１０ａを挟み込むように形成されている。外枠１７は、有機ＥＬディスプレイ１０の四辺のうち上辺を除く三辺に形成されている。駆動ユニット２０は、筐体２５と筐体２５の中に内蔵された制御ボード２１などで構成されている。
【００２０】
図１（ｂ）に示すように、有機ＥＬディスプレイ１０にはフレキシブル配線基板（図示省略）が付属しており、コネクタ（図示省略）を介してフレキシブル配線基板と制御ボード２１とが接続されている。制御ボード２１は、データを記憶するためのメモリ（図示省略）や、データの取得、データの再生、および広告情報を切り換えるための制御部（図示省略）などを備えている。そして、制御ボード２１は、有機ＥＬディスプレイ１０に情報を表示することができる。矢印の方向が、発光側であり、提供された情報を目視で確認できる。なお、本実施形態では、有機ＥＬディスプレイ１０を採用したが、有機ＥＬディスプレイ１０以外に、ガス放電ディスプレイ、液晶ディスプレイなどでもよい。
【００２１】
図１（ｃ）に示すように、外枠１７には凹部１８がある。そして、外枠１７は略矩形状に形成されており、幅１７ａと幅１７ｂとがある。同様に、凹部１８も略矩形状に形成されており、幅１８ａと深さ１８ｂとがある。
【００２２】
図２は、本実施形態の有機ＥＬディスプレイの構成を示す概略断面図である。
【００２３】
図２に示すように、有機ＥＬディスプレイ１０は、発光基板１５と発光基板１５に対向する位置に配置されている対向基板としての第２基板１６とで構成されている。第１基板１１上にＩＴＯ膜１２、発光層１３、電極１４とが形成されていて、発光基板１５は、構成されている。なお、発光層１３は、有機物である発光材料が使用されており、発光層１３から発光した光が第１基板１１の矢印方向に透過する。
【００２４】
第１基板１１上に形成されているＩＴＯ膜１２、発光層１３、電極１４のそれぞれの膜厚は約５００ｎｍである。なお、これらＩＴＯ膜１２、発光層１３、電極１４は、真空蒸着法や、スパッタリング法などの薄膜形成方法により形成される。
【００２５】
第１基板１１と第２基板１６との材質は、フレキシブル性のある透明な素材であり、例えば絶縁性を有するプラスチックフィルムである。好ましい厚さは０．５〜１ｍｍの範囲であって、薄いシート状である。発光基板１５と第２基板１６とを貼り合わせることによって、有機ＥＬディスプレイ１０は構成される。有機ＥＬディスプレイ１０のフレキシブル性を積極的に発揮するように、ここでは、第１基板１１と第２基板１６との厚さを各々０．５ｍｍにした。つまり、有機ＥＬディスプレイ１０は厚さが約１ｍｍである。そして、第１基板１１と第２基板１６との大きさは、縦が約４００ｍｍで、横が約１０００ｍｍである。有機ＥＬディスプレイ１０は、プラスチックフィルムを重ね合わせた構成であるから、曲げることができる。しかも、素材がプラスチックフィルムであるので、軽量である。
（中吊り広告用情報表示装置の製造方法）
【００２６】
次に、本実施形態の中吊り広告用情報表示装置の製造方法について説明する。図３（ａ）〜（ｃ）は、本実施形態に係る中吊り広告用情報表示装置の製造方法の手順を示す模式図である。図４は、中吊り広告用情報表示装置の製造工程を示すフローチャートである。
【００２７】
図３に示すように、中吊り広告用情報表示装置の概略製造工程は、有機ＥＬディスプレイ１０に外枠１７を貼り付ける工程と、駆動ユニット２０を取り付ける工程とに大別できる。以下、各工程について詳細に説明する。
【００２８】
図４のステップＳ１１では、洗剤、純水および有機溶剤などを用いて図３（ａ）に示す有機ＥＬディスプレイ１０を十分に洗浄して、有機ＥＬディスプレイ１０の面１０ｂ上や周縁部１０ａに付着している汚染物を除去するための前処理を施す。なお、洗浄の方法は、湿式洗浄方法にこだわることはなく、窒素などの不活性ガスを吹き付けて洗浄する方法を採用してもよい。また、酸素プラズマ洗浄や、ＵＶ−Ｏ3洗浄などの乾式洗浄方法を併用してもよい。
【００２９】
図４のステップＳ１２では、図３（ｂ）に示すように、有機ＥＬディスプレイ１０の周縁部１０ａに外枠１７を貼り付ける。外枠１７を貼り付けるための接着剤は、シアノアクリレート系の接着剤や、エポキシ系の接着剤などが使用できる。ここでは、有機ＥＬディスプレイ１０に外枠１７を固定するために接着剤を使用したが、これにこだわることはなく、有機ＥＬディスプレイ１０に外枠１７を嵌合できて、外枠１７が有機ＥＬディスプレイ１０から外れなければ接着剤を使用しなくてもよい。
【００３０】
外枠１７は、例えばα―ゲル（（株）ジェルテック製）である。α―ゲルは、透明な素材であって、衝撃性能に優れている。また、α―ゲル以外では、ゲルダンピング材や、シリコーンゲルダンピング材なども使用できる。外枠１７は帯状になっており、幅１７ｂが約５ｍｍで、幅１７ａが約８ｍｍの矩形状である（図１（ｃ）参照）。そして、外枠１７には略矩形状の凹部１８が連続的に形成されている。凹部１８の幅１８ａが約２ｍｍで、深さ１８ｂが約３ｍｍである。外枠１７の長さは、有機ＥＬディスプレイ１０の左右２辺と下辺との合計長さとほぼ同じであり、約１８００ｍｍである。凹部１８に接着剤を流し込み、有機ＥＬディスプレイ１０の周縁部１０ａを挿入して、外枠１７と有機ＥＬディスプレイ１０とを貼り付け固定する。なお、外枠１７の材質としてα―ゲルを採用したが、これにこだわることはない。例えば天然ゴム、シリコンゴム、ウレタンゴム、などの衝撃を吸収しやすい素材を使用してもよい。
【００３１】
本実施形態では、外枠１７を有機ＥＬディスプレイ１０に貼り付ける構成としたが、これにこだわることはない。固化すると弾力性を有する液状樹脂をディッピングする方法、印刷する印刷方法などの手法によって、有機ＥＬディスプレイ１０の周縁部１０ａにコーティングしてもよい。
【００３２】
図４のステップＳ１３では、図３（ｃ）に示すように、表示ユニット１９に駆動ユニット２０を取り付ける。そして、外枠１７によって有機ＥＬディスプレイ１０の周縁部１０ａが保護された中吊り広告用情報表示装置１ができる。
【００３３】
実施形態における中吊り広告用情報表示装置１の構成は以上のようであって、図１を参照しながら、中吊り広告用情報表示装置１の耐衝撃性能について説明をする。
【００３４】
中吊り広告用情報表示装置１は、電車やバスの中において、駆動ユニット２０が天井から吊り下げられ、表示ユニット１９が駆動ユニット２０に吊り下げられる。中吊り広告用情報表示装置１は、駆動ユニット２０により駆動され、各種広告情報を大量に、しかも、瞬時に、有機ＥＬディスプレイ１０上に表示できる。
【００３５】
電車やバスの中で、中吊り広告用情報表示装置１が、吊り下げた箇所から万一落下しても、外枠１７が貼り付けてある有機ＥＬディスプレイ１０は、衝撃を吸収することができるから、落下時の衝撃を吸収することができるので、有機ＥＬディスプレイ１０が破損しにくくなる。したがって、中吊り広告用情報表示装置１の耐衝撃性が向上する。
【００３６】
以上のような実施形態では、次のような効果が得られる。
【００３７】
（１）有機ＥＬディスプレイ１０の周縁部１０ａに衝撃を吸収することができる外枠１７を貼り付けてあるから、有機ＥＬディスプレイ１０を保護できる。そして、耐衝撃性の高い中吊り広告用情報表示装置１を提供できる。
（２）外枠の凹部１８に周縁部１０ａを挿入して接着剤で貼り付けるだけでよいので、簡単である。有機ＥＬディスプレイ１０の周縁部１０ａを保護できる。しかも、有機ＥＬディスプレイ１０の他に、ガス放電ディスプレイ、液晶ディスプレイ、マイクロカプセル型電気泳動方式ディスプレイなどの薄型のディスプレイにも応用できる。
（３）外枠が、吊り下げ状態の表示部の下辺や側辺に備えられているので、メンテナンスのときなどで表示部を外すような場合に、万一、表示部が落下しても表示部の下辺や側辺が保護されやすい。
【００３８】
以上、好ましい実施の形態を挙げて本発明を説明したが、本発明は上記実施の形態に限定されるものではなく、以下に示すような変形例をも含み、本発明の目的を達成できる範囲で、他のいずれの具体的な構造及び形状に設定できる。
【００３９】
（変形例１）前述の実施形態で、外枠１７の材料として耐衝撃性に優れている素材のα―ゲルを採用したが、これに限らない。例えば、ＰＥＴ（Ｐｏｌｙｅｔｈｙｌｅｎｅ  ｔｅｌｅｐｈｔｈａｌａｔｅ）、ポリ塩化ビニル（Ｖｉｎｙｌｓ）などの透明で衝撃吸収材である樹脂を使用してもよい。このようにしても、有機ＥＬディスプレイ１０が保護されるので、実施形態と同様の効果が得られる。
【００４０】
（変形例２）前述の実施形態で、外枠１７の長さを、有機ＥＬディスプレイ１０の左右２辺と下辺との合計長さとほぼ同じにしたが、これに限らない。例えば、外枠１７の長さをこれより短くして、左右側辺の二分の一と下辺との合計長さにしてもよい。このようにしても、有機ＥＬディスプレイ１０の周縁部１０ａを保護できれば、落下時における中吊り広告用情報表示装置１の耐衝撃性が保持できるので、実施形態と同様の効果が得られる。
【００４１】
（変形例３）前述の実施形態で、外枠１７を、有機ＥＬディスプレイ１０の周縁部１０ａに備えたが、これに限らない。例えば、有機ＥＬディスプレイ１０の下辺の角部（左右２箇所）に備えてもよい。このようにしても、有機ＥＬディスプレイ１０の周縁部１０ａを保護できれば、落下時における中吊り広告用情報表示装置１の耐衝撃性が保持できるので、実施形態と同様の効果が得られる。
【図面の簡単な説明】
【００４２】
【図１】実施形態の中吊り広告用情報表示装置の構成を示し、（ａ）は概略斜視図、（ｂ）は概略断面図であり、（ｃ）は外枠の概略断面図。
【図２】有機ＥＬディスプレイの構成を示す概略断面図。
【図３】（ａ）〜（ｃ）は、中吊り広告用情報表示装置の製造工程を示す模式図。
【図４】中吊り広告用情報表示装置の製造工程を示すフローチャート。
【符号の説明】
【００４３】
１…中吊り広告用情報表示装置、１０…表示部としての有機ＥＬディスプレイ、１０ａ…周縁部、１１…第１基板、１３…発光層、１５…発光基板、１６…対向基板としての第２基板、１７…外枠、１８…凹部、１９…表示ユニット、２０…駆動ユニット、２１…制御ボード、２５…筐体。
【図１】
2006267159.tif 000003
【図２】
2006267159.tif 000004
【図３】
2006267159.tif 000005
【図４】
2006267159.tif 000006